(57)【特許請求の範囲】
【請求項１】
回線に接続された回線終端装置と、入力セルを所定方路にスイッチングするスイッチ部を備えたスイッチ装置と、各回線終端装置から出力されるセルを多重してスイッチ装置に入力すると共に、スイッチ装置から出力された多重セルを分離して回線終端装置に入力する多重分離装置を有し、前記多重分離装置とスイッチ装置を冗長構成にし、アクト系の多重分離装置から出力されるセルをケーブルを介してアクト系のスイッチ装置に伝送し、スタンバイ系の多重分離装置から出力されるセルをケーブルを介してスタンバイ系のスイッチ装置に伝送する交換システムにおける前記ケーブル差に基づくアクト系とスタンバイ系の信号伝搬位相差を吸収する伝搬位相差吸収装置において、
アクト系、スタンバイ系の多重分離装置よりそれぞれアクト系、スタンバイ系のスイッチ装置へ同期してマルチセル単位でセル及びマルチセルフレーム信号を送出する手段、
アクト系及びスタンバイ系のスイッチ装置に設けられアクト系及びスタンバイ系の多重分離装置より伝送されてくるマルチセル単位のセルを順次記憶するセルバッファ、
アクト系及びスタンバイ系のスイッチ装置に設けられ、アクト系の多重分離装置より送られてくるマルチセルフレーム信号に基づいて、前記セルバッファよりセルを読み出すタイミングを決定し、該タイミングに基づいてアクト系及びスタンバイ系のセルバッファより同期してセルを読み出してスイッチ部に送出する読み出し制御部を備えたことを特徴とする冗長構成システムにおける伝搬位相差吸収装置。
【請求項２】
アクト系及びスタンバイ系のスイッチ装置に設けられ、前記スイッチ部でスイッチングしたセルをマルチセル単位でアクト系及びスタンバイ系の多重分離装置へそれぞれ送出すると共に、前記読み出しタイミングでマルチセルフレーム信号を生成してアクト系及びスタンバイ系の多重分離装置へそれぞれ送出する手段、
アクト系及びスタンバイ系の多重分離装置に設けられ、アクト系及びスタンバイ系のスイッチ装置より伝送されてくるマルチセル単位のセルを順次記憶するセルバッファ、
アクト系及びスタンバイ系の多重分離装置に設けられ、アクト系のスイッチ装置より送られてくるマルチセルフレーム信号に基づいて、前記セルバッファよりセルを読み出すタイミングを決定し、該タイミングに基づいてアクト系及びスタンバイ系のセルバッファより同期してセルを読み出して回線終端部に送出する読み出し制御部を備えたことを特徴とする請求項１記載の冗長構成システムにおける伝搬位相差吸収装置。
【発明の詳細な説明】
【０００１】
【発明の属する技術分野】
本発明は冗長構成システムにおける伝搬位相差吸収方法及び装置に係わり、特に、冗長構成された送信装置と冗長構成された受信装置を備え、アクト系装置間のケーブル長とスタンバイ系装置間のケーブル長の差に基づくアクト系及びスタンバイ系の信号伝搬位相差を吸収する伝搬位相差吸収方法及び装置に関する。
【０００２】
ＡＴＭ伝送方式では物理回線上に多重に論理リンクを張ることにより回線を複数の呼に割り当てる。そして、各呼に応じた端末からの動画像データや音声データ等を固定長の情報単位（ＡＴＭセル）に分解し、順次回線に送り出して多重化を実現する。
ＡＴＭセルは図８に示すように、５３バイトの固定長ブロックで構成され、その内５バイトがヘッダ部、４８バイトがインフォメーションフィールド（ペイロード）である。ヘッダ部には、データがブロックに分解された後でも宛先が判るように呼識別用の仮想チャンネル番号（Virtual Channel Identifier：ＶＣＩ）が含まれ、そのほか方路を特定する仮想パスの識別子（Virtual Path Identifier：ＶＰＩ）や、リンク間のフロー制御に用いられるジェネリックフローコントロールＧＦＣ（Generic Flow Control）や、ペイロードタイプＰＴ（Payload Type)やセル損失優先表示ＣＬＰ（Cell Loss Priority)、ヘッダのエラー訂正用符号ＨＥＣ（Header Error Control)等が含まれている。
【０００３】
図９はＡＴＭ交換システムの構成図であり、１ａ〜１ｎは回線終端装置であり、それぞれ回線に接続された複数の加入者インタフェース部（加入者ＩＦ部）ＳＩＦ１〜ＳＩＦｍを有するもの、２ａ〜２ｎは多重分離装置であり、各加入者インタフェース部ＳＩＦ１〜ＳＩＦｍから出力されるセルを多重してスイッチ側に送出すると共に、スイッチ画から入力された多重セルを分離して各加入者インタフェース部ＳＩＦ１〜ＳＩＦｍに入力する。多重分離装置２ａ〜２ｎは冗長構成になっており、適宜、一方がアクト系（＃０）、他方がスタンバイ系（＃１）になっており、それぞれ並行して同一の多重分離処理を行う。３はスイッチ装置であり、各多重分離装置２ａ〜２ｎから入力されるセルを所定方路にスイッチングするスイッチ部を有している。スイッチ装置３は冗長構成になっており、適宜、一方がアクト系（＃０）、他方がスタンバイ系（＃１）になっており、それぞれ並行して同一のスイッチング処理を行うようになっている。
【０００４】
回線終端装置１ａ〜１の加入者ＩＦ部ＳＩＦ１〜ＳＩＦｎは、回線から入力された所定形式のフレーム（例えばSONET FRAME)のペイロード部分よりＡＴＭセル（図８）を取り出し、しかる後、スイッチ内部のセルフォーマットに変換して冗長構成の多重分離部２ａ〜２ｎに出力する。多重分離部２ａ〜２ｎのアクト系（＃０）及びスタンバイ系（＃１）は各加入者インタフェース部ＩＦ部ＳＩＦ１〜ＳＩＦｎより入力されたセルを多重化して冗長構成のスイッチ装置３に入力する。アクト系（＃０）及びスタンバイ系（＃１）のスイッチ装置はセルが入力されると、該セルをスイッチングして多重分離部２ａ〜２ｎのアクト系（＃０）及びスタンバイ系（＃１）に送出する。多重分離部２ａ〜２ｎのアクト系（＃０）及びスタンバイ系（＃１）は入力されたセルを分離して加入者インタフェース部ＳＩＦ１〜ＳＩＦｎに入力する。加入者インタフェース部ＳＩＦ１〜ＳＩＦｎは、多重分離部２ａ〜２ｎのアクト系（＃０）から入力されたセルをＡＴＭセルフォーマットに変換し、該ＡＴＭセルをSONET FRAMEのペイロード部分にマッピングして回線側に送出する。
【０００５】
アクト系とスタンバイ系は常時同一の多重分離、スイッチング動作を行っているため、アクト系に障害が発生してもスタンバイ系をアクト系に切り換えることにより無瞬断で交換動作を継続することができる。又、定期保守のためにアクト／スタンバイを切り換える場合であっても無瞬断で切り換えて交換動作を継続することができる。
【０００６】
【発明が解決しようとする課題】
ＡＴＭ交換機においては、装置間接続のために、例えば多重分離装置２ａ〜２ｎとスイッチ装置３間等の接続のために、ケーブル（光ケーブルやメタルケーブル）４ａ0，４ａ1〜４ｎ0，４ｎ1を使用している。これらケーブル長が異なるとアクト系とスタンバイ系間に信号伝搬位相差が生じ、この信号伝搬位相差により故障発生時あるいは保守点検時のアクト／スタンバイ切り換えに際してセルロスが発生し、高品質の通信ができなくなる。そこで、高品質の通信を可能とするためには、厳密な規定を守ってケーブル長を同一あるいは許容誤差範囲内にする必要がある。しかし、実装条件や施設条件によってケーブル長は許容誤差以上に異なっているのが現状である。
このため、従来は、セル同期なる方法によりケーブル長差に基づく信号伝搬位相差を吸収するようにしている。
【０００７】
図１０はセル同期方式を説明するためのシステムの概要であり、２0，２1はそれぞれアクト系（＃０）及びスタンバイ系（＃１）の装置Ａであり例えば図９の多重分離部、３0，３1はそれぞれアクト系（＃０）及びスタンバイ系（＃１）の装置Ｂであり例えば図９のスイッチ装置である。又、４ａ0，４ｂ0はアクト系装置２0，３0間を接続する上り／下りのケーブルであり、それぞれデータ（セル）Data、ビットクロック信号ＣＬＫ、セル同期信号（フレーム信号)Frameを並行転送するものである。４ａ1，４ｂ1はスタンバイ系装置２1，３1間を接続する上り／下りのケーブルであり、それぞれデータ（セル）Data、ビットクロック信号ＣＬＫ、セル同期信号（フレーム信号)Frameを並行転送する。
【０００８】
アクト／スタンバイ系の装置３0，３1は１セル分のセルバッファＣＢ30，ＣＢ31を備え、これらセルバッファに順次受信セルデータを記憶すると共に、アクト系装置３0とスタンバイ系装置３1間で系間同期信号ＳＹＣ１を送受する。そして、アクト系装置３0とスタンバイ系装置３1はこの系間同期信号ＳＹＣ１に同期して同時にアクト／スタンバイ系のセルバッファＣＢ30，ＣＢ31からセルの先頭よりデータを取り出し、これにより、ケーブル長差による信号伝搬位相差を吸収する。系間同期信号ＳＹＣ１は例えばアクト系装置（＃０）３0の図示しない同期制御部が、受信フレーム信号Frameの中間位置で発生してスタンバイ系(＃１）装置３1に送る。
【０００９】
アクト／スタンバイ系の装置２0，２1も同様に１セル分のセルバッファＣＢ20，ＣＢ21を備え、アクト／スタンバイ系の装置３0，３1から送出されてくるセルデータをこれらセルバッファに順次記憶すると共に、アクト系装置２0とスタンバイ系装置２1間で系間同期信号ＳＹＣ２を送受する。そして、アクト系装置２0とスタンバイ系装置２1はこの系間同期信号ＳＹＣ２に同期して同時にアクト／スタンバイ系のセルバッファＣＢ20，ＣＢ21からセルの先頭よりデータを取り出し、これにより、ケーブル長差による信号伝搬位相差を吸収する。系間同期信号ＳＹＣ２は例えばアクト系装置（＃０）２0の図示しない同期制御部が、受信フレーム信号Frameの中間位置で発生してスタンバイ系(＃１）装置２1に送る。
【００１０】
ここで、図１１（ａ），（ｂ）に示すようにCellサイクル長をＴｆ〔ｎｓ〕，基準ケーブル長をＡ〔ｍ〕，ケーブル長差をＬ〔ｍ〕，ケーブル長単位当たりの伝搬遅延時間をＫ〔ｎｓ／ｍ〕とすると、セル同期方式では
Ｔｆ＞Ａ×Ｋ      (1)
Ｔｆ＞Ｌ×Ｋ×２  (2)
が成立しないと、正常な通信が成立しない。
(1)式はケーブル長により１Cellサイクル長Ｔｆ以上装置間で遅延してはいけないことを意味している（図１１（ａ）参照）。
【００１１】
(2)式は、アクト系及びスタンバイ系のケーブル長差による信号伝搬遅延時間を２倍したものが1Cellサイクル長Ｔｆ以上遅延してはいけないことを意味している。アクト系及びスタンバイ系のケーブル長に±Ｌの差があると、図１１（ｂ）に示すように、アクト系（＃０）の装置Ｂがセルフレームを受信する時刻ｔi（ｉ＝０、１、２・・・）の前後±Ｋ×Ｌの時間内にスタンバイ系（＃１）の装置Ｂがセルフレームを受信する。従って、区間ａにおいて系間同期信号ＳＹＣ１を発生してセルバッファＣＢ30，ＣＢ31からセルデータを読み出そうとすると、スタンバイ系のセルバッファＣＢ31にセルデータが記憶されていない場合があり、正しく系間同期を確立することができない。又、区間ｂにおいて系間同期信号ＳＹＣ１を発生してセルバッファＣＢ30，ＣＢ31からセルデータを読み出そうとすると、スタンバイ系のセルバッファＣＢ31にすでに次のセルが記憶されている場合があり、やはり正しく系間同期を確立することができない。結局、同期を確立するためには区間ｃで系間同期信号ＳＹＣ１を発生する必要がある。以上より、(2)式が成立しないと、系間同期を取ることができなくなる。
【００１２】
通常、Cellサイクル長Ｔｆは短く、同期確立区間は非常に狭くなっている、このため、同期を確立するためのタイミング(区間c)で系間同期信号ＳＹＣ１を発生するのが困難になる問題がある。又、(1)式を満足するためにケーブルを長くできず、しかも、(2)式を満足するためにアクト系とスタンバイ系のケーブル長差に厳密な制約が必要になり、交換システムの構築において柔軟性、製造性に欠ける問題がある。
以上から、本発明の目的は、同期確立の条件を緩和し、安定に系間同期信号を発生して同期を確立することができ、しかも、アクト系とスタンバイ系のケーブル長差に厳密な制約を不要とすることである。
【００１３】
【課題を解決するための手段】
上記課題は本発明によれば、回線に接続された回線終端装置と、入力セルを所定方路にスイッチングするスイッチ部を備えたスイッチ装置と、各回線終端装置から出力されるセルを多重してスイッチ装置に入力すると共に、スイッチ装置から出力された多重セルを分離して回線終端装置に入力する多重分離装置を有し、前記多重分離装置とスイッチ装置を冗長構成にし、アクト系の多重分離装置から出力されるセルをケーブルを介してアクト系のスイッチ装置に伝送し、スタンバイ系の多重分離装置から出力されるセルをケーブルを介してスタンバイ系のスイッチ装置に伝送する交換システムにおける前記ケーブル差に基づくアクト系とスタンバイ系の信号伝搬位相差を吸収する伝搬位相差吸収装置において、
アクト系、スタンバイ系の多重分離装置よりそれぞれアクト系、スタンバイ系のスイッチ装置へ同期してマルチセル単位でセル及びマルチセルフレーム信号を送出する手段、
アクト系及びスタンバイ系のスイッチ装置に設けられアクト系及びスタンバイ系の多重分離装置より伝送されてくるマルチセル単位のセルを順次記憶するセルバッファ、
アクト系及びスタンバイ系のスイッチ装置に設けられ、アクト系の多重分離装置より送られてくるマルチセルフレーム信号に基づいて、前記セルバッファよりセルを読み出すタイミングを決定し、該タイミングに基づいてアクト系及びスタンバイ系のセルバッファより同期してセルを読み出してスイッチ部に送出する読み出し制御部を備えた伝搬位相差吸収装置により達成される。
【００１４】
【発明の実施の形態】
（ａ）本発明の概略
本発明では、冗長構成（０系／１系の二重化）の装置間信号に マルチセル（複数のセル）単位で通信するための基準信号であるマルチセルフレーム信号（Multiframe信号）を設ける。このMultiframe信号により、マルチセルの先頭を認識して送受信セル列の管理を行う。従来と違い、マルチセルにて送受信しているため、受信側におけるセルデータDatａの取り込み安定領域が広がり、アクト系装置間接続用のテーブル長とスタンバイ系装置間接続用のケーブル長とに差があったとしても、伝搬遅延位相差を容易に吸収可能な状態をつくれるようになる。
【００１５】
図１は本発明を適用できるシステムの概要図である。
１２0，１２1はそれぞれアクト系（＃０）及びスタンバイ系（＃１）の装置Ａであり、例えば図９の多重分離部、１３0，１３1はそれぞれアクト系（＃０）及びスタンバイ系（＃１）の装置Ｂであり、例えば図９のスイッチ装置である。１４ａ0，１４ｂ0はアクト系装置１２0，１３0間を接続する上り／下りのケーブルであり、それぞれデータ（セル）Data、ビットクロック信号ＣＬＫ、セル同期信号（セルフレーム信号)Frame、マルチセルフレーム信号（Multiframe信号）を並行転送するものである。１４ａ1，１４ｂ1はスタンバイ系装置１２1，１３1間を接続する上り／下りのケーブルであり、それぞれセルデータData、ビットクロック信号ＣＬＫ、セルフレーム信号Frame、Multiframe信号を並行転送する。
【００１６】
アクト系及びスタンバイ系の装置Ｂ（１３0，１３1）はそれぞれ１マルチセル分のセルバッファ５１0，５１1を備え、これらセルバッファにアクト系及びスタンバイ系の装置Ａ（１２0，１２1）から送られてくるセルデータを順次記憶すると共に、アクト系及びスタンバイ系装置Ｂ（１３0，１３1）間で系間同期信号ＳＹＣ１を送受する。アクト／スタンバイ系装置Ｂ（１３0，１３1）はこの系間同期信号ＳＹＣ１に同期して同時にアクト／スタンバイ系のセルバッファ５１0，５１1からマルチセルの先頭よりデータを取り出して図示しないセルハンドリグ手段(例えばスイッチ部)に入力し、これにより、ケーブル長差による信号伝搬位相差を吸収する。
【００１７】
系間同期信号ＳＹＣ１は、例えばアクト系装置（＃０）１３0の読み出し制御部５２0が、受信Multiframe信号の中間位置で発生してスタンバイ系(＃１）装置１３1の読み出し制御部５２1に送る。アクト系及びスタンバイ系の読み出し制御部５２0、５２1はそれぞれ系間同期信号ＳＹＣ１に同期して同時にアクト／スタンバイ系のセルバッファ５１0，５１1からマルチセルの先頭よりデータを読み出してセルハンドリング部（スイッチ部）に入力する。尚、アクト系の読み出し制御部５２0は受信Multiframe信号を共通Multiframe信号としてスタンバイ系(＃１）装置１３1の読み出し制御部５２1に送り、それぞれの読み出し制御部５２0，５２1が独自に共通Multiframe信号の中間時刻より同時にアクト／スタンバイ系のセルバッファ５１0，５１1に記憶されているマルチセルをの先頭から順次読み出すようにすることもできる。
【００１８】
アクト／スタンバイ系の装置Ａ（１２0，１２1）も同様に１マルチセル分のセルバッファ６１0，６１1を備え、これらセルバッファにアクト系及びスタンバイ系の装置Ｂ（１３0，１３1）から送られてくるセルデータを順次記憶すると共に、アクト系／スタンバイ系装置Ａ（１２0，１２1）間で系間同期信号ＳＹＣ２を送受する。アクト／スタンバイ系装置Ａ（１２0，１２1）はこの系間同期信号ＳＹＣ２に同期して同時にアクト／スタンバイ系のセルバッファ６１0，６１1からマルチセルの先頭よりデータを取り出して図示しない加入者ＩＦ部に入力し、これにより、ケーブル長差による信号伝搬位相差を吸収する。系間同期信号ＳＹＣ２は、例えばアクト系装置（＃０）１２0の読み出し制御部６２0が、受信した各マルチセルフレーム信号Mulatuframeの中間位置で発生してスタンバイ系(＃１）装置１２1に送る。アクト系及びスタンバイ系の読み出し制御部６２0、６２1はそれぞれ系間同期信号ＳＹＣ２に同期して同時にアクト／スタンバイ系のセルバッファ６１0，６１1からマルチセルの先頭よりデータを読み出して加入者インタフェース部に入力する。尚、アクト系の読み出し制御部６２0は受信Multiframe信号を共通Multiframe信号としてスタンバイ系(＃１）装置１２1の読み出し制御部６２1に送り、それぞれの読み出し制御部６２0，６２1が独自に共通Multiframe信号の中間時刻より同時にアクト／スタンバイ系のセルバッファ６１0，６１1に記憶されているマルチセルをその先頭から順次読み出すようにすることもできる。
【００１９】
図２（ａ），（ｂ）に示すようにMulti CellサイクルをＴ〔ｎｓ〕、基準ケーブル長をＡ〔ｍ〕、ケーブル長差をＬ〔ｍ〕、ケーブル長単位当たりの伝搬遅延時間をＫ〔ｎｓ／ｍ〕とすると、マルチセル同期方式では
Ｔ＞Ａ×Ｋ          (3)
Ｔ＞Ｌ×Ｋ×２      (4)
が成立するように、ケーブル長を決定すると共に、各ケーブル長差Ｌを調整すればよい。この場合、Multi CellサイクルＴは、セルサイクルＴｆに対してマルチセル量をｎセルとすると、
Ｔ＝Ｔｆ×ｎ        (5)
となる。この結果、本発明のマルチセル同期方式によれば、従来のセル同期方式に較べて、ケーブル長Ａを十分に長くすることができ、しかも、同期確立区間ｃ(図２（ｂ）参照）の長さをセル同期方式に比べて十分に長くすることができ、容易に系間同期信号ＳＹＣ１を発生して同期確立することができる。すなわち、(4)式を満足するために、アクト系とスタンバイ系のケーブル長差Ｌに厳密な制約が不要となり、交換システムの構築において柔軟性、製造性を向上することができる。
【００２０】
（ｂ）実施例
(b-1) 全体の構成
図３は本発明を適用できるＡＴＭ交換システムの構成図であり、１１は回線終端部であり、複数の加入者ＩＦ部を有するもの、１２0，１２1は冗長構成の共通部（多重分離部）であり、回線終端部１１から出力されるセルを集線多重してスイッチ側に送出すると共に、スイッチ側から入力された多重セルを分離して回線終端部１１に入力するもので、適宜、一方がアクト系（＃０）、他方がスタンバイ系（＃１）になり同一の多重分離処理を行う。１３0，１３1は冗長構成のスイッチ装置であり、アクト系及びスタンバイ系の共通部(多重分離部)１２0，１２1から入力されるセルをスイッチングするもので、適宜、一方がアクト系（＃０）、他方がスタンバイ系（＃１）になり同一のスイッチング処理を行うようになっている。１４ａ0，１４ｂ0はアクト系装置１２0，１３0間を接続する上り／下りのケーブルであり、それぞれデータ（セル）Data、ビットクロック信号ＣＬＫ、セルフレーム信号Frame、マルチセルフレーム信号Mframeを並行転送するものである。１４ａ1，１４ｂ1はスタンバイ系装置１２1，１３1間を接続する上り／下りのケーブルであり、それぞれセルデータData、ビットクロック信号ＣＬＫ、セルフレーム信号Frame、マルチセルフレーム信号Mframeを並行転送する。
【００２１】
アクト系とスタンバイ系は常時同一の多重分離、スイッチング動作を行っているため、アクト系に障害が発生してもスタンバイ系をアクト系に切り換えることにより無瞬断で交換動作を継続することができる。又、定期保守のためにアクト／スタンバイを切り換える場合であっても無瞬断で切り換えて交換動作を継続することができる。図３では１つの回線終端部１１、一組の冗長構成の多重分離部１２0，１２1のみ示しているが、実際には図９に示すように多数の回線終端部、多数の冗長構成の多重分離部が設けられ、スイッチ装置１３0，１３1に接続される。
【００２２】
(b-2) 共通部の構成
図４はアクト系及びスタンバイ系の共通部１２0，１２1におけるセル送受信部の構成図であり、多重、分離部は明確に示していない。
図中、６１は回線終端部１１から入力されるセルデータを順次格納する１マルチセル分（ｎセル分の）容量を有する第１のセルバッファ、６２は書き込み制御部であり、回線終端部１１から入力されるセルフレーム信号Frame、クロックClkに同期して順次セルデータを第１のセルバッファ６１に書き込むもの、６３はスイッチ装置から送られてくるマルチセルフレーム信号Mframeと他系装置から入力されたマルチセルフレーム信号Mframe′の一方を選択して出力するセレクタであり、自分がアクト系の場合にはスイッチ装置から送られてくるマルチセルフレーム信号Mframeを選択し、自分がスタンバイ系の場合には他系装置(アクト系装置)から入力されたマルチセルフレーム信号Mframe′を選択して出力する。これにより、アクト／スタンバイの共通部１２0，１２1（図３）で使用するマルチセルフレーム信号Mframeが同じになり系間同期が可能になる。
【００２３】
６４はクロックを再生するPLL発振器、６５は読み出し制御部であり、セレクタ６３から出力されるアクト／スタンバイ共通のマルチセルフレーム信号Mframeの中間位置において送信マルチセルフレーム信号Mfameを発生し、この送信マルチセルフレーム信号Mframeに同期して第１のセルバッファ６１からマルチセルの先頭よりセルデータを読み出してスイッチ装置側に送出するもので、このセルデータと共に送信マルチセルフレーム信号Mfame、セルフレーム信号Frame、クロックClkをスイッチ装置側に並行転送する。前述のように、アクト／スタンバイ系ではマルチセルフレーム信号Mframeが共通になっているため、アクト/スタンバイ系は同期して同時にマルチセルの先頭よりセルデータを読み出してスイッチ装置に送出することができる。
【００２４】
６６はスイッチ装置から入力されるデータセルを順次格納する１マルチセル分の容量を有する第２のセルバッファ、６７は書き込み制御部であり、スイッチ装置から送出されてくるマルチセルフレーム信号Mframe、セルフレーム信号Frame、クロックClkに同期して順次セルデータを第２のセルバッファ６６に書き込むもの、６８は読み出し制御部であり、セレクタ６３から出力されるアクト／スタンバイ共通のマルチセルフレーム信号Mframeの中間時刻において、第２のセルバッファ６６からデータをマルチセルの先頭より順次読み出して回線終端部に送出するもので、セルデータと共にセルフレーム信号Frame、クロックClkを回線終端部に並行転送する。マルチセルフレーム信号Mframeはアクト／スタンバイ系で共通になっているため、アクト/スタンバイ系は同期して同時にマルチセルの先頭よりセルデータを読み出して回線終端部の各加入者ＩＦ部に送出することができる。
【００２５】
(b-3) スイッチ装置の構成
図５はアクト系及びスタンバイ系のスイッチ装置の構成図である。図中、５１はアクト系あるいはスタンバイ系の共通部から入力されるセルデータを順次格納する１マルチセル分の容量を有する第１のセルバッファ、５２は書き込み制御部であり、共通部から入力されるマルチセルフレーム信号Mframe、セルフレーム信号Frame、クロックClkに同期して順次マルチセルの先頭からセルデータを第１のセルバッファ５１に書き込むもの、５３は共通部から送られてくるマルチセルフレーム信号Mframeと他系装置から入力されるマルチセルフレーム信号Mframeの一方を選択して出力するセレクタであり、自分がアクト系の場合には共通部から送られてくるマルチセルフレーム信号Mframeを選択し、自分がスタンバイ系の場合には他系装置(アクト系装置)から入力されたマルチセルフレーム信号Mframeを選択して出力する。これにより、アクト／スタンバイのスイッチ装置１３0，１３1（図３）で使用するマルチセルフレーム信号Mframeが同じになり系間同期が可能になる。
【００２６】
５４は読み出し制御部であり、セレクタ６３から出力されるアクト系／スタンバイ系共通のマルチセルフレーム信号Mframeの中間位置において送信マルチセルフレーム信号Mfameを発生し、この送信マルチセルフレーム信号Mframeに同期してセルバッファ５１に記憶されているセルデータをマルチセルの先頭より読み出してスイッチ部に入力する。又、読み出し制御部５４は、送信マルチセルフレーム信号Mfame、セルフレーム信号Frame、図示しないクロック盤から入力されるクロックClkをスイッチングセルデータと共に共通部に並行転送する。５５は入力されたセルをスイッチングするＡＴＭスイッチである。
アクト系及びスタンバイ系では前述のようにマルチセルフレーム信号Mframeが共通になっているため、アクト/スタンバイ系の読出し制御部５４は互いに同期してアクト／スタンバイ系のセルバッファ５１からマルチセルの先頭よりセルデータを読み出してアクト／スタンバイ系のスイッチ部５５に入力し、各スイッチ部５５は入力セルをスイッチングして共通部に送出することができる。
【００２７】
図６（ａ）は書き込み制御部５２によるライト制御を説明するタイムチャートであり、書き込み制御部５２はマルチセルの先頭より順次マルチセルフレーム信号Mframe、フレーム信号Frameに同期してセルを第１セルバッファ５１に記憶する。図６（ｂ）はアクト系装置のセルバッファ５１へのセル書き込み（受信）とセル読み出し（送信）の関係を示すタイムチャートである。受信マルチセルフレーム信号Mframeの中間位置において送信マルチセルフレーム信号Mfameを発生し、この送信マルチセルフレーム信号Mframeに同期してセルバッファ５１からマルチセルの先頭よりセルデータを読み出してスイッチ部５５に入力する。従って、受信マルチセルフレームと送信マルチセルフレームの区間長をｔとすれば、ケーブル長差によりスタンバイ系で信号伝搬遅延が生じてもその遅延時間がｔ以下であれば、送信マルチセルフレーム信号Mframe発生時にアクト／スタンバイの各セルバッファ５１に同一セルフレーム期間のセルが記憶されており、確実に同期を確立することができる。又、スタンバイ系のケーブル長が短い場合であってもその進み時間がｔ以下であれば、送信マルチセルフレーム信号Mframe発生時にアクト／スタンバイの各セルバッファ５１に同一セルフレーム期間のセルが記憶されており、確実に同期を確立することができる。
【００２８】
図７はアクト系／スタンバイ系のスイッチ装置１３0，１３1の接続関係説明図である。５１0，５１1はアクト系／スタンバイ系の共通部から入力されるセルデータを順次格納する１マルチセル分の容量を有する第１のセルバッファ（受信セルバッファ）、５２0，５２1は書き込み制御部、５３0，５３1は共通部から送られてくるマルチセルフレーム信号Mframeと他系装置から入力されるマルチセルフレーム信号Mframeの一方を選択して出力するセレクタである。
【００２９】
図示しない制御部より、スイッチ装置１３0がアクト系の場合には”１”のACT/SBY信号が出力され、スイッチ装置１３0がスタンバイ系の場合には”０”のACT/SBY信号が出力される。セレクタ５３0はACT/SBY信号が”１”の場合、すなわち、自分がアクト系の場合には共通部から送られてくるマルチセルフレーム信号  Mframeを選択し、ACT/SBY信号が”０”の場合、すなわち、自分がスタンバイ系の場合には他系装置(アクト系装置)１３1から入力されるマルチセルフレーム信号Mframeを選択して出力する。又、セレクタ５３1はACT/SBY信号が”１”の場合、すなわち、自分がスタンバイ系の場合には他系装置(アクト系装置)１３0から入力されるマルチセルフレーム信号Mframeを選択して出力し、ACT/SBY信号が”０”の場合、すなわち、自分がアクト系の場合には共通部から送られてくるマルチセルフレーム信号Mframeを選択して出力する。
以上により、アクト／スタンバイのスイッチ装置１３0，１３1で使用するマルチセルフレーム信号Mframeが同じになり系間同期が可能になる。
【００３０】
(b-4) 全体の動作
回線終端部１１（図３）の各加入者ＩＦ部から出力されるセルはアクト系、スタンバイ系の共通部１２0，１２1の第１セルバッファ６１（図４）に順次記憶される。アクト系及びスタンバイ系の共通部１２0,１２1のセレクタ６３は共通マルチセルフレーム信号Mframeとしてアクト側共通部１２0のマルチセルフレーム信号Mframeを選択する。
アクト系、スタンバイ系の共通部１２0，１２1の読み出し制御部６５はそれぞれ共通マルチセルフレームMframeの中間位置において送信マルチセルフレーム信号を発生し、この送信マルチセルフレーム信号に同期して第１のセルバッファ６１からセルデータを読み出してアクト／スタンバイ系のスイッチ装置１３0，１３1に送出する。又、各読み出し制御部６５はセルデータと共に送信マルチセルフレーム信号Mframe、セルフレーム信号Frame、クロックClkをアクト／スタンバイ系のスイッチ装置１３0，１３1にそれぞれ送出する。以上により、アクト/スタンバイ系の共通部１２0，１２1より同期してセルデータをアクト/スタンバイのスイッチ装置１３0，１３1に送出することができる。
【００３１】
アクト／スタンバイのスイッチ装置１３0，１３1におけるセルバッファ５１0，５１1（図７）は共通部より送られてきたセルデータを受信マルチセルフレーム信号Mframe、セルフレームFrame、クロックClkに同期して順次記憶する。この場合、アクト系装置間ケーブル長とスタンバイ系装置間ケーブル長の差によりセルバッファ５１0，５１1にセルデータが書き込まれるタイミングは異なる。アクト系及びスタンバイ系のスイッチ装置１３0,１３1のセレクタ５３0，５３1は共通マルチセルフレームMframeとしてアクト側スイッチ装置１３0の受信マルチセルフレームMframeを選択する。
【００３２】
アクト系、スタンバイ系のスイッチ装置１３0，１３1の読み出し制御部５４0，５４1はそれぞれ共通マルチセルフレームMframeの中間位置において送信マルチセルフレーム信号を発生し、この送信マルチセルフレーム信号に同期してセルバッファ５１0，５１1からセルデータを読み出してアクト／スタンバイ系のＡＴＭスイッチ５５に送出する。以上により、アクト/スタンバイのＡＴＭスイッチ５５に同期してセルデータを入力することができる。
アクト/スタンバイのＡＴＭスイッチ５５は入力セルをスイッチングしてアクト／スタンバイの共通部１２0，１２1に送出し、又、各読み出し制御部５４0，５４1はそれぞれスイッチングされたセルデータと共に送信マルチセルフレーム信号Mframe、セルフレーム信号Frame、クロックClkをアクト／スタンバイ系の共通部１２0，１２1に送出する。
【００３３】
アクト／スタンバイの共通部１２0，１２1における第２のセルバッファ６６（図４）はスイッチ装置１３0，１３1より送られてきたセルデータを受信マルチセルフレーム信号Mframe、セルフレームFrame、クロックClkに同期して順次記憶する。この場合、アクト系装置間ケーブル長とスタンバイ系装置間ケーブル長の差により、アクト／スタンバイの第２のセルバッファ６６にセルデータが書き込まれるタイミングは異なる。アクト系及びスタンバイ系の共通部１２0,１２1のセレクタ６３は共通マルチセルフレームMframeとしてアクト側スイッチ装置１２0の受信マルチセルフレームMframeを選択する。
【００３４】
アクト系、スタンバイ系の共通部１２0，１２1の読み出し制御部６８はそれぞれ共通マルチセルフレーム信号Mframeの中間位置においてマルチセルフレーム信号を発生し、このマルチセルフレーム信号に同期して第２のセルバッファ６６からセルデータを順次読み出して回線終端部１１に送出する。以上により、回線終端部に同期してセルデータを入力することができる。
以後、上記動作が繰り返される。
【００３５】
（ｃ）変形例
以上では、交換システムに本発明を適用した場合であるが、冗長構成の送信装置と冗長構成の受信装置を有する任意のシステムに本発明を適用することができる。すなわち、▲１▼アクト系及びスタンバイ系の送信装置より、それぞれ対応するアクト系及びスタンバイ系の受信装置へ同期してマルチセル単位でセル及びマルチセルフレーム信号を送出し、▲２▼アクト系及びスタンバイ系の受信装置にそれぞれ設けられたセルバッファに、アクト系及びスタンバイ系送信装置より伝送されてくるマルチセル単位の各セルを順次記憶し、▲３▼アクト系送信装置より送られてくるマルチセルフレーム信号に基づいて、セルバッファよりセルを読み出すタイミングを決定し、▲４▼該タイミングに基づいてアクト系及びスタンバイ系のセルバッファより同期してセルを読み出し、それぞれアクト系及びスタンバイ系のセルハンドリング部に入力する。
【００３６】
又、以上では、アクト／スタンバイ系装置の共通マルチセルフレーム信号としてアクト系装置のマルチセルフレーム信号を採用し、アクト／スタンバイ装置のそれぞれで該マルチセルフレーム信号の中間位置において送信マルチセルフレーム信号を発生し、該送信マルチセルフレーム信号に同期してセルバッファよりセルデータを読み出して同期を確立したが、以下のようにして同期を確立することもできる。すなわち、アクト系装置において、アクト系マルチセルフレームの中間位置において系間同期信号を発生すると共に該系間同期信号をスタンバイ系装置に送り、アクト系装置及びスタンバイ系装置がこの系間同期信号に同期してセルバッファからセルデータを読出して同期を確立する。
以上、本発明を実施例により説明したが、本発明は請求の範囲に記載した本発明の主旨に従い種々の変形が可能であり、本発明はこれらを排除するものではない。
【００３７】
【発明の効果】
以上本発明のマルチセル同期方式によれば、従来のセル同期方式に較べて、ケーブル長を十分に長くすることができ、しかも、同期確立区間の長さをセル同期方式に比べて十分に長くすることができ、容易に系間同期信号を発生して同期確立することができる。すなわち、アクト系とスタンバイ系のケーブル長差に厳密な制約が不要となり、交換システムの構築において柔軟性、製造性を向上することができる。
【図面の簡単な説明】
【図１】本発明を適用したシステムの概要図である。
【図２】マルチセル同期方式による系間同期確立の条件説明図である。
【図３】本発明のシステム構成図である。
【図４】共通部の構成図である。
【図５】スイッチ装置の構成図である。
【図６】スイッチ装置のセルバッファにおける書き込み、読出しタイムチャートである。
【図７】アクト系／スタンバイ系スイッチ装置の接続関係説明図である。
【図８】ＡＴＭセルフォーマット説明図である。
【図９】ＡＴＭ交換システムの構成図である。
【図１０】従来のシステム概要図である。
【図１１】セル同期方式による系間同期確立の条件説明図である。
【符号の説明】
１２0，１２1・・アクト系（＃０）／スタンバイ系（＃１）の装置Ａ
１３0，１３1・・アクト系（＃０）／スタンバイ系（＃１）の装置Ｂ
１４ａ0，１４ｂ0・・アクト系装置間接続ケーブル
１４ａ1，１４ｂ1・・スタンバイ系装置間接続ケーブル
Multiframe・・マルチセルフレーム信号
【図１】
0003679214.tif 000002
【図２】
0003679214.tif 000003
【図３】
0003679214.tif 000004
【図４】
0003679214.tif 000005
【図５】
0003679214.tif 000006
【図６】
0003679214.tif 000007
【図７】
0003679214.tif 000008
【図８】
0003679214.tif 000009
【図９】
0003679214.tif 000010
【図１０】
0003679214.tif 000011
【図１１】
0003679214.tif 000012